(57)【要約】【課題】放電灯点灯回路を構成する複数の電子部品と受光素子とが同一の基板に実装された場合においても、受光素子による赤外線リモコン信号の受光性能を確保する。【解決手段】高周波電力が供給されると点灯する放電灯１を保持する器具本体２に対して、赤外線リモコン信号を受光する受光素子５及び放電灯１を点灯制御する放電灯点灯回路を構成する複数の電子部品６，６・・・が実装される基板７を、受光素子の実装面の裏面７１が器具本体２と対向するように上記器具本体２に設置されている。このとき、基板７に実装された複数の電子部品６，６・・・のうち、基板７への実装時の高さ寸法が受光素子５の受光面５０までの高さ以上である電子部品６ａは、受光素子の実装面の裏面７１に実装され、表面実装部品６ｂは、受光素子の実装面７０に実装される。【選択図】図１
2009266598.tif 000002
【特許請求の範囲】
【請求項１】
高周波電力が供給されると点灯する放電灯に対して赤外線リモコン信号による点灯制御を可能とする照明器具であって、
前記放電灯を保持する器具本体と、
前記赤外線リモコン信号を受光する受光素子と、
前記放電灯を点灯制御する放電灯点灯回路を構成する複数の電子部品と、
前記受光素子及び前記複数の電子部品が実装される基板と
を備え、
前記基板は、前記受光素子の実装面の裏面が前記器具本体のうち前記放電灯を保持する面と対向するように当該器具本体に設置され、
前記複数の電子部品のうち前記基板への実装時の高さ寸法が前記受光素子の受光面までの高さ以上である電子部品は、前記受光素子の実装面の裏面に実装される
ことを特徴とする照明器具。
【請求項２】
前記受光素子の受光面は、前記器具本体とは反対側に向かって前記放電灯よりも突出していることを特徴とする請求項１記載の照明器具。
【請求項３】
前記基板の前記受光素子の実装面には、前記複数の電子部品のうち表面実装部品のみが実装されることを特徴とする請求項１又は２記載の照明器具。
【請求項４】
前記放電灯が環形ランプであり、
前記環形ランプを含む平面に前記受光素子を投影したとき、前記環形ランプの中心から当該環形ランプまでの直線上において、前記受光素子の配置位置から前記環形ランプまでの距離が、当該環形ランプの中心から当該受光素子の配置位置までの距離より長い
ことを特徴とする請求項１乃至３の何れか１項に記載の照明器具。
【請求項５】
前記放電灯が環形ランプであり、
前記基板が前記環形ランプの内径より内側に設置される
ことを特徴とする請求項１乃至４の何れか１項に記載の照明器具。
【発明の詳細な説明】
【技術分野】
【０００１】
本発明は、赤外線リモコン信号による放電灯の点灯制御を可能とする照明器具に関するものである。
【背景技術】
【０００２】
赤外線リモコン信号による放電灯の点灯制御を可能とする従来の照明器具として、赤外線リモコン信号を受光する受光素子と、放電灯点灯回路を構成する複数の電子部品とが実装された基板が器具本体に設置されたものが知られている（例えば、特許文献１参照）。従来の照明器具は、図９に示すように、基板９０の片面９０１に、受光素子９１と複数の電子部品９２，９２・・・とが実装されている。受光素子９１及び複数の電子部品９２，９２・・・が実装された基板９０は、器具本体９３に設置される。
【特許文献１】特開２００３−１６２９２０号公報
【発明の開示】
【発明が解決しようとする課題】
【０００３】
従来の照明器具は、上記のように、基板９０の片面９０１に、受光素子９１と他の電子部品９２，９２・・・とが実装されているため、複数の電子部品９２，９２・・・が赤外線リモコン信号を遮断してしまい、受光素子９１による赤外線リモコン信号の受光性能を十分に確保することができないという問題があった。
【０００４】
本発明は上記の点に鑑みて為されたものであり、その目的は、放電灯点灯回路を構成する複数の電子部品と受光素子とが同一の基板に実装された場合においても、受光素子による赤外線リモコン信号の受光性能を確保することができる照明器具を提供することにある。
【課題を解決するための手段】
【０００５】
請求項１の発明は、高周波電力が供給されると点灯する放電灯に対して赤外線リモコン信号による点灯制御を可能とする照明器具であって、前記放電灯を保持する器具本体と、前記赤外線リモコン信号を受光する受光素子と、前記放電灯を点灯制御する放電灯点灯回路を構成する複数の電子部品と、前記受光素子及び前記複数の電子部品が実装される基板とを備え、前記基板が、前記受光素子の実装面の裏面が前記器具本体のうち前記放電灯を保持する面と対向するように当該器具本体に設置され、前記複数の電子部品のうち前記基板への実装時の高さ寸法が前記受光素子の受光面までの高さ以上である電子部品が、前記受光素子の実装面の裏面に実装されることを特徴とする。
【０００６】
請求項２の発明は、請求項１の発明において、前記受光素子の受光面が、前記器具本体とは反対側に向かって前記放電灯よりも突出していることを特徴とする。
【０００７】
請求項３の発明は、請求項１又は２記載の発明において、前記基板の前記受光素子の実装面には、前記複数の電子部品のうち表面実装部品のみが実装されることを特徴とする。
【０００８】
請求項４の発明は、請求項１乃至３の何れか１項の発明において、前記放電灯が環形ランプであり、前記環形ランプを含む平面に前記受光素子を投影したとき、前記環形ランプの中心から当該環形ランプまでの直線上において、前記受光素子の配置位置から前記環形ランプまでの距離が、当該環形ランプの中心から当該受光素子の配置位置までの距離より長いことを特徴とする。
【０００９】
請求項５の発明は、請求項１乃至４の何れか１項の発明において、前記放電灯が環形ランプであり、前記基板が前記環形ランプの内径より内側に設置されることを特徴とする。
【発明の効果】
【００１０】
請求項１の発明によれば、放電灯点灯回路を構成する複数の電子部品と受光素子とが同一の基板に実装されることによって、上記複数の電子部品が実装された基板と受光素子との接続及びそのための接続部品を不要とし、さらに、基板への実装時の高さ寸法が受光素子の受光面までの高さ以上である電子部品が、受光素子の実装面の裏面に実装されることによって、複数の電子部品による赤外線リモコン信号の遮断を低減することができるので、複数の電子部品と受光素子とが同一の基板に実装された場合においても、受光素子による赤外線リモコン信号の受光性能を確保することができる。
【００１１】
請求項２の発明によれば、受光素子の受光面を放電灯よりも器具本体の反対側に向かって突出させることによって、放電灯からの光の上記受光面への影響を低減することができるので、受光素子による赤外線リモコン信号の受光性能を向上させることができる。
【００１２】
請求項３の発明によれば、基板の受光素子の実装面には表面実装部品のみが実装されることによって、上記実装面のうち受光素子を除く部分において回路パターンを形成する必要がなくなるので、基板の製造を簡略化することができる。
【００１３】
請求項４の発明によれば、受光素子の配置位置から環形ランプまでの距離を環形ランプの中心から受光素子の配置位置までの距離より長くすることによって、受光素子を環形ランプの近くに配置する場合に比べて、環形ランプからの光の受光素子への影響を低減することができるので、受光素子による赤外線リモコン信号の受光性能をさらに向上させることができる。
【００１４】
請求項５の発明によれば、基板が環形ランプの内径より内側に設置されることによって、環形ランプより外側に基板の一部が出てしまうことがないので、照明器具の大型化を生じることなく、受光素子による赤外線リモコン信号の受光性能を確保することができる。
【発明を実施するための最良の形態】
【００１５】
（実施形態１）
実施形態１に係る照明器具の構成について図１〜３を用いて説明する。この照明器具は、リモコン送信器Ａ（図３参照）からの赤外線リモコン信号による放電灯１の点灯制御を可能とするものであり、図１に示すように、放電灯１を下面２０で保持する器具本体２と、器具本体２の下面２０に設置され放電灯１を点灯制御する放電灯点灯装置３と、放電灯１や放電灯点灯装置３が設置された器具本体２の下面２０を覆うグローブ４とを備えている。
【００１６】
放電灯１は、環形ランプであり、電極部（図示せず）を内蔵する口金１０を備え、器具本体２の下面２０に取り付けられる。器具本体２に取り付けられた放電灯１は、口金１０で放電灯点灯装置３と電気的に接続し、この放電灯点灯装置３から高周波電力が供給されると点灯する。また、口金１０の近傍にはランプ発光体がなくランプ光量が少ないため、光ノイズが他の場所より小さい。
【００１７】
器具本体２は、例えば金属板などで円板状に形成されたものであり、中央には、建築物の配線器具（図示せず）への取付用に設けられた円状の取付部２１が設けられている。この取付部２１には、円状の開口２１０が形成されている。
【００１８】
放電灯点灯装置３は、赤外線リモコン信号を受光する受光素子５と、放電灯１を点灯制御する放電灯点灯回路を構成する複数の電子部品６，６・・・と、受光素子５及び複数の電子部品６，６・・・が実装される基板７と、受光素子５や複数の電子部品６，６・・・、基板７を収納するケース８とを備えている。
【００１９】
受光素子５は、受光した赤外線リモコン信号を電気信号に変換するための回路を収納するパッケージを備えるものである。パッケージの一端側（図２の下端側）には、リモコン送信器Ａ（図３参照）から送信された赤外線リモコン信号をパッケージ内に取り入れるための受光面５０が設けられている。本実施形態では、基板７への実装時における上記パッケージの高さが、受光素子５の受光面５０までの高さとなる。
【００２０】
上記受光素子５における赤外線リモコン信号の受光性能は、リモコン送信器Ａからの赤外線リモコン信号レベルと光ノイズレベルとの信号レベル比で表される。この信号レベル比が大きいほど、赤外線リモコン信号の受光性能がより良好といえる。なお、放電灯１の口金１０にはランプ発光体がなく光ノイズが小さくなることから、受光素子５は器具本体２の中心と放電灯１の口金１０との間に配置されている。
【００２１】
複数の電子部品６，６・・・は、基板７への実装時の高さ寸法が受光素子５の受光面５０までの高さ以上である電子部品６ａと、基板７への実装時の高さ寸法が受光素子５の受光面５０までの高さより低い表面実装部品６ｂとで構成される。
【００２２】
電子部品６ａとしては、ノイズ低減用ラインフィルタＬＦやチョッパチョークＬ１、バラストチョークＬ２、電解コンデンサＣ１などがある（図３参照）。これらの電子部品６ａの大きさは、一般的に、放電灯１の定格電力の大きさに比例する。例えば、ＦＨＤ１００Ｗの放電灯１の場合、ノイズ低減用ラインフィルタＬＦは９０００ｍｍ３、チョッパチョークＬ１及びバラストチョークＬ２は１８０００ｍｍ３、電解コンデンサＣ１は１４０００ｍｍ３程度以上の大きさのものが使われる。
【００２３】
表面実装部品６ｂとしては、制御用ＩＣやＦＥＴ、ダイオード、面実装抵抗などがある（図３参照）。
【００２４】
複数の電子部品６，６・・・が実装された基板７を図２に示す。複数の電子部品６，６・・・のうち、基板７への実装時の高さ寸法が受光素子５の受光面５０までの高さ以上である電子部品６ａは、受光素子５の実装面７０とは反対面である裏面７１に実装される。これに対して、受光素子５の実装面７０には、表面実装部品６ｂが実装される。
【００２５】
ケース８は、受光素子５の受光面５０を外部と遮蔽しないように開口部８０が形成されている。ケース７の色は、光が反射しやすい色（例えば白色など）である。
【００２６】
受光素子５及び複数の電子部品６，６・・・が実装された基板７は、ケース８に収納され、環形ランプである放電灯１の内径の内側であって、受光素子５の実装面の裏面７１が器具本体２の下面２０と対向するように、器具本体２に設置されている。つまり、基板７は、器具本体２のうち放電灯１を保持する面と対向するように、器具本体２に配置されている。言い換えると、受光素子５の受光面５０を床面に向けて器具本体２に設置されている。
【００２７】
上記のような構成である本実施形態の放電灯点灯装置３は、従来の放電灯点灯装置（図９参照）に比べて、受光素子５が床面側に設置されているため、リモコン送信器Ａ（図３参照）に近くなる。
【００２８】
グローブ４は、例えばアクリル樹脂など乳白色の透過拡散性を有する樹脂材料で形成されたものである。
【００２９】
このような構成の照明器具は、配線器具（図示せず）が設置されている天井面（図示せず）に、器具本体２の下面２０が床面と対向するように設置される。
【００３０】
次に、本実施形態の放電灯点灯装置３の回路構成について図３を用いて説明する。昇圧チョッパ回路により構成され、商用電源ＡＣからの交流電圧を直流電圧に変換するＡＣ−ＤＣ変換部３０と、ＡＣ−ＤＣ変換部３０で変換された直流電圧を高周波電圧に変換するインバータ部３１と、ＡＣ−ＤＣ変換部３０及びインバータ部を制御する点灯回路制御部３２と、受光素子４及び常夜灯３３に接続されるリモコン制御部３４とを備えている。
【００３１】
リモコン制御部３４は、点灯回路制御部３２に接続されている。また、インバータ部３１からの高周波電力は放電灯１に供給される。ＡＣ−ＤＣ変換部３０やインバータ部３１などの動作については一般的なものであるため、詳細な説明は省略する。本回路においては、ノイズ低減用ラインフィルタＬＦやチョッパチョークＬ１、バラストチョークＬ２などは、比較的大きな形状になる。また、電解コンデンサＣ１なども他に比べて大きな部品となる。
【００３２】
以上、本実施形態によれば、放電灯点灯回路を構成する複数の電子部品６，６・・・と受光素子５とが同一の基板７に実装されることによって、上記複数の電子部品６，６・・・が実装された基板７と受光素子５との接続及びそのための接続部品を不要とし、さらに、基板７への実装時の高さ寸法が受光素子５の受光面５０までの高さ以上である電子部品６ａが、受光素子の実装面の裏面７１に実装されることによって、複数の電子部品６，６・・・による赤外線リモコン信号の遮断を低減することができるので、複数の電子部品６，６・・・と受光素子５とが同一の基板７に実装された場合においても、受光素子５による赤外線リモコン信号の受光性能を確保することができる。
【００３３】
また、本実施形態によれば、基板７の受光素子の実装面７０には表面実装部品６ｂのみが実装されることによって、上記実装面７０のうち受光素子５を除く部分において回路パターンを形成する必要がなくなるので、基板７の製造を簡略化することができる。
【００３４】
さらに、本実施形態によれば、基板７が環形ランプの内径より内側に設置されることによって、環形ランプより外側に基板７の一部が出てしまうことがないので、照明器具の大型化を生じることなく、受光素子５による赤外線リモコン信号の受光性能を確保することができる。
【００３５】
（実施形態２）
実施形態２の照明器具は、図４に示すように、受光素子５の受光面５０が、器具本体２とは反対側に向かって放電灯１よりも突出している点で、実施形態１の照明器具（図１参照）と相違する。つまり、本実施形態２の照明器具では、器具本体２から受光素子５の受光面５０までの距離が、器具本体２から、上記器具本体２に設置された放電灯１のうち上記器具本体２から最も遠い端部までの距離より長い。なお、実施形態１と同様の構成要素については、同一の符号を付して説明を省略する。
【００３６】
本実施形態の放電灯１として、２重管環形ランプ（ＦＨＤタイプ）を使用しており、この環形ランプの管径は２０ｍｍである。
【００３７】
一方、図５に示すように、本実施形態の放電灯点灯装置３の高さＨ１は３５ｍｍであり、電子部品６ａが実装された側の基板７からの高さは２５ｍｍである。
【００３８】
本実施形態の照明器具は、図４に示すように、器具本体２から放電灯１の下端までの距離に対し、器具本体２から受光素子５までの距離を長くすることによって、放電灯１の光が受光素子５に直接入り込むことを抑制できる。
【００３９】
なお、図９に示す従来の照明器具においても、放電灯点灯装置の設置する高さを変えて、器具本体２から放電灯１の下端までの距離よりも器具本体２から受光素子５までの距離を長くすることは可能であるが、器具本体２と放電灯点灯装置３の間に不要な空間を生じる、又は、放電灯１に対し、放電灯点灯装置３が床面側へ大きく突出して、照明器具の大型化を招くなどの不具合を生じてしまう。
【００４０】
以上、本実施形態によれば、受光素子５の受光面５０を放電灯１よりも器具本体２の反対側に向かって突出させることによって、放電灯１からの光の上記受光面５０への影響を低減することができるので、受光素子５による赤外線リモコン信号の受光性能を向上させることができる。
【００４１】
（実施形態３）
実施形態３の照明器具は、図６に示すように、受光素子５の配置位置から放電灯１までの距離Ｌ１，Ｌ２が、放電灯１の中心から受光素子５の配置位置までの距離Ｌより長い点で、実施形態２の照明器具と相違する。つまり、本実施形態の照明器具では、環形ランプである放電灯１を含む平面に受光素子５を投影したとき、放電灯１の中心から放電灯１までの直線上（ｒ１，ｒ２）において、受光素子５の配置位置から放電灯１までの距離Ｌ１，Ｌ２が、放電灯１の中心から受光素子５の配置位置までの距離Ｌより長い。なお、実施形態２と同様の構成要素については、同一の符号を付して説明を省略する。
【００４２】
放電灯１の光が受光素子５のノイズとなるのを抑制するには、放電灯１からなるべく遠い位置に受光素子５を設置することが望ましい。放電灯１の内側において最も望ましいのは放電灯１の中心となる。
【００４３】
ところが、器具本体２の中心には、天井面に取り付けるため、及び天井側の電源線から放電灯点灯装置３へ電源を供給するために開口２００が設けられている。
【００４４】
このため、本実施形態では、放電灯１の中心に受光素子５を位置させることはできないため、受光素子５の配置位置から放電灯１までの距離Ｌ１，Ｌ２を、放電灯１の中心から受光素子５の配置位置までの距離Ｌに比べて長くしている。
【００４５】
以上、本実施形態によれば、受光素子５の配置位置から放電灯１までの距離Ｌ１，Ｌ２を放電灯１の中心から受光素子５の配置位置までの距離Ｌより長くすることによって、受光素子４を環形ランプの近くにする場合に比べて、環形ランプからの光の影響を低減することができるので、受光素子４による赤外線リモコン信号の受光性能をさらに向上させることができる。
【００４６】
（実施形態４）
実施形態４の照明器具は、図７に示すように、ＬＥＤの常夜灯３３が受光素子の実装面７０に実装される点で、実施形態３の照明器具（図５参照）と相違する。なお、実施形態３と同様の構成要素については、同一の符号を付して説明を省略する。
【００４７】
本実施形態の常夜灯３３は、基板７への実装時の高さ寸法が受光素子５の受光面５０より低いものが用いられる。
【００４８】
以上、本実施形態によれば、ＬＥＤの常夜灯３３を受光素子の実装面７０に実装する場合、基板７への実装時の高さ寸法が受光素子５の受光面５０より低い常夜灯３３を用いることによって、常夜灯３３と複数の電子部品６，６・・・と受光素子５とが同一の基板７に実装された場合においても、受光素子５による赤外線リモコン信号の受光性能を確保することができる。
【００４９】
（実施形態５）
実施形態５の照明器具は、図８に示すように、放電灯１としてランプ管径が１６ｍｍの２重管環形ランプ（ＦＨＣタイプ）を用いる点で、実施形態３の照明器具（図５参照）と相違する。なお、実施形態３と同様の構成要素については、同一の符号を付して説明を省略する。
【００５０】
本実施形態においても、定格電力の小さいほうの放電灯の内径内に放電灯点灯装置３を設置することにより、照明器具の大型化を生じることがない。また、同一基板４に放電灯点灯回路を構成する複数の電子部品６，６・・・と受光素子５とを実装し、かつ、基板７への実装時の高さ寸法が受光素子５の受光面５０の高さ以上の電子部品６ａを受光素子の実装面の裏面７１に実装し、受光素子の実装面７０を床面に向けて設置しているので、リモコン送信器Ａ（図３参照）に近くなるだけでなく、受光面５０に入り込む放電灯１の光を低減することができる。これにより、複数の電子部品６，６・・・と受光素子５との接続及びそのための接合部品を不要とし、さらに、受光素子５による赤外線リモコン信号の受光性能を向上させることができる。
【図面の簡単な説明】
【００５１】
【図１】実施形態１に係る照明器具であって、（ａ）が断面図、（ｂ）が下面図である。
【図２】同上に係る照明器具の要部を示す断面図である。
【図３】同上に係る照明器具の放電灯点灯回路を示す回路図である。
【図４】実施形態２に係る照明器具であって、（ａ）が断面図、（ｂ）が下面図である。
【図５】同上に係る照明器具の要部を示す断面図である。
【図６】実施形態３に係る照明器具であって、（ａ）が断面図、（ｂ）が下面図である。
【図７】実施形態４に係る照明器具の要部を示す断面図である。
【図８】実施形態５に係る照明器具であって、（ａ）が断面図、（ｂ）が下面図である。
【図９】従来の照明器具であって、（ａ）が断面図、（ｂ）が要部を示す断面図である。
【符号の説明】
【００５２】
１  放電灯
２  器具本体
５  受光素子
５０  受光面
６  電子部品
６ａ  電子部品
６ｂ  表面実装部品
７  基板
７０  実装面
７１  裏面
【図１】
2009266598.tif 000003
【図２】
2009266598.tif 000004
【図３】
2009266598.tif 000005
【図４】
2009266598.tif 000006
【図５】
2009266598.tif 000007
【図６】
2009266598.tif 000008
【図７】
2009266598.tif 000009
【図８】
2009266598.tif 000010
【図９】
2009266598.tif 000011